(57)【特許請求の範囲】
【請求項１】
ＤＡＴＡネットワークへのインターフェースであるＬＡＮＩ／Ｆ部と、ＰＳＴＮ網へのインターフェースであるＰＳＴＮ  Ｉ／Ｆ部を有し、前記ＤＡＴＡネットワークまたは前記ＰＳＴＮ網からの電源供給により通話可能なＩＰ電話機において、
前記ＤＡＴＡネットワークでの通話中に前記ＤＡＴＡネットワークに不具合が発生した場合は、前記ＰＳＴＮ網に接続を切り替えて通話を維持する切替手段を有し、
前記切替手段は、前記ＤＡＴＡネットワークが不具合から復旧した場合においても前記ＰＳＴＮ網への接続を維持することを特徴とするＩＰ電話機。
【請求項２】
前記ＬＡＮ  Ｉ／Ｆ部がハブに接続されている場合は前記ハブからの電源供給により動作することを特徴とする請求項１記載のＩＰ電話機。
【発明の詳細な説明】
【０００１】
【発明の属する技術分野】
本発明は、本発明はＤＡＴＡネットワーク（ＬＡＮ）及び、構内交換ネットワークに接続するＩＰ電話機に関し、特にネットワーク不具合や停電時にネットワークの切替を行うＩＰ電話機に関する。
【０００２】
【従来の技術】
従来、この種のＩＰ電話機はＤＡＴＡネットワーク（ＬＡＮ）及び、構内交換ネットワークに接続されており、ネットワーク不具合や停電時の動作は一般的に考慮されていないことが多い。近年、ＩＰ電話機においても高い接続信頼性が求められてきており、信頼性の高くいないＤＡＴＡネットワーク（ＬＡＮ）においても構内交換ネットワークと同等の接続信頼性が要求されている。
【０００３】
この要請に応えるために、例えば、特開平１０−２７１２４３号公報では、ＬＡＮインターフェース制御とＰＳＴＮインターフェース制御の両方を持ち、ネットワーク不具合や停電時にＰＳＴＮインターフェースに自動的に切り替える方式が提案されている。この特開平１０−２７１２４３号公報に開示された従来技術は、図４に示すように、ＬＡＮインタフェース回路部１２０は、ＬＡＮ構内交換機（図示せず）からの状態問い合わせパケットを所定毎に監視し、この状態監視パケットを受信しなかった場合にＬＡＮに障害が発生したと判断し、信号制御によりリレー１４１を端子Ａ（ＡＤＰＣＭ符号化／複合化部１２１）から端子Ｂ（ＰＳＴＮ  １３０）側に切り替え、リレー１４１はまた商用電源の停電時には通話インタフェース部１４２をＰＳＴＮ１３０側に切り替えることにより、接続信頼性の向上を実現している。
【０００４】
【発明が解決しようとする課題】
ところが、上述した従来技術では、停電直前にＰＳＴＮ通話で通話をしている状態のときに停電が復旧すると、その通話が強制的にＤＡＴＡネットワーク側に切り替わってしまうという問題点があった。また、上述した従来技術では、ＩＰ電話機に電源供給する機能を持つハブ等に接続された場合について何ら考慮されていない。更に、ＤＡＴＡネットワークを利用して通話中にＤＡＴＡネットワークに不具合が発生した場合、ＰＳＴＮへ通話を回避する手段がないため、通話は切断されてしまうという問題点があった。
【０００５】
本発明は上記問題に鑑みてなされたものであって、本発明は、ＤＡＴＡネットワークを利用して通話中にＤＡＴＡネットワークに不具合が発生した場合においても通話を維持できるＩＰ電話機を提供することを目的とする。
【０００６】
また、本発明の他の目的は、通話中に発生したＤＡＴＡネットワークの不具合が復旧した場合においても通話を維持できるＩＰ電話機を提供することを目的とする。
【０００７】
また、本発明の他の目的は、ＩＰ電話機への電源供給機能を有するハブ等に対応可能なＩＰ電話機を提供することである。
【０００８】
【課題を解決するための手段】
本発明は、ＤＡＴＡネットワークへのインターフェースであるＬＡＮ  Ｉ／Ｆ部と、ＰＳＴＮ網へのインターフェースであるＰＳＴＮ  Ｉ／Ｆ部を有し、前記ＤＡＴＡネットワークまたは前記ＰＳＴＮ網からの電源供給により通話可能なＩＰ電話機において、前記ＤＡＴＡネットワークでの通話中に前記ＤＡＴＡネットワークに不具合が発生した場合は、前記ＰＳＴＮ網に接続を切り替えて通話を維持する切替手段を有することを特徴とする。
【０００９】
また、切替手段は、前記ＤＡＴＡネットワークが不具合から復旧した場合においても前記ＰＳＴＮ網への接続を維持することを特徴とする。
【００１０】
また、ＬＡＮ  Ｉ／Ｆ部がハブに接続されている場合は前記ハブからの電源供給により動作することを特徴とする。
【００１１】
【発明の実施の形態】
次に本発明の実施形態について図面を参照して詳細に説明する。図１は本実施形態のＩＰ電話機が接続されたネットワーク構成を示すブロック図である。図１に示すように本実施形態のＩＰ電話機５は、ＤＡＴＡネットワーク９およびＰＳＴＮ網２に接続されている。
【００１２】
ＤＡＴＡネットワーク９は、インターネットまたはイントラネット１に接続されるルータ３と、ルータ３に接続されるハブ４と、ハブ４に接続されるＩＰ電話機制御装置７、複数のＰＣ６で構成されている。
【００１３】
ＩＰ電話機５は、ＩＰ電話機制御装置７と制御ＤＡＴＡの通信を行い、通話は、本ＤＡＴＡネットワーク９上の各端末及び、インターネット又はイントラネット１上の端末と通話すること出来る。また、ＩＰ電話機５は、停電時やＤＡＴＡネットワーク９に何らかの不具合が発生した場合は、ＰＳＴＮ網７上の端末と通話を行うことが出来る。
【００１４】
図２は、本実施形態におけるＩＰ電話機の構成を示すブロック図である。
【００１５】
ＬＡＮ  Ｉ／Ｆ部５１は、ＤＡＴＡネットワーク９とインターフェースを行う。ＤＡＴＡネットワーク９がＩＰ電話機５の動作電力を送出できるハブ等に接続されている場合には、通信ＤＡＴＡと給電を分離し、通信ＤＡＴＡをＣＰＵ５２と接続し、動作電力を電源部５３に送出する。
【００１６】
ＣＰＵ５２は、ＬＡＮ  Ｉ／Ｆ部５１を介し、ＤＡＴＡネットワーク９と通信する。この通信には制御ＤＡＴＡと音声ＤＡＴＡが含まれており、ＣＰＵ５２は制御ＤＡＴＡと音声ＤＡＴＡのそれぞれを解析し、電話機の動作を司る。またＣＰＵ５２は、音声ＤＡＴＡをＣＯＤＥＣ５５で変換できるフォーマットに直し、ＣＯＤＥＣ５５と通信する。この他、ＣＰＵ５２は、ハンドセット５８の音声をＰＳＴＮ  Ｉ／Ｆ部５６へ接続する切替ＳＷ５７の切替指示、ダイヤルボタン５４の押下情報の入力、ダイヤル生成部５９を制御してＰＳＴＮ  Ｉ／Ｆ部５６へダイヤル信号の送出可否制御等を行う。
【００１７】
電源部５３は、ＬＡＮ  Ｉ／Ｆ部５１又は商用電源８からの電源入力により、ＩＰ電話機５の動作電力を供給する。
【００１８】
ダイヤルボタン５４は、操作者がダイヤルするヒューマンインタフェースであって、得られたダイヤル情報をＣＰＵ５２を介してダイヤル生成部５９へ送出する。
【００１９】
ＣＯＤＥＣ５５はデジタル信号／アナログ信号の変換器で、デジタル信号はＣＰＵ５２と接続され、アナログ信号はハンドセット５８と接続される。
【００２０】
ＰＳＴＮ  Ｉ／Ｆ部５６は、ＰＳＴＮ網２と接続し、ＰＳＴＮ網２と発呼、着呼、通話等のＰＳＴＮ網通信の基本的機能をサポートする。
【００２１】
切替ＳＷ５７は、ＣＰＵ５２からの指示又は電源供給状態によって、ハンドセット５８からの音声をＰＳＴＮ  Ｉ／Ｆ部５６と接続するか否かの切替を行う。
【００２２】
ハンドセット５８は、アナログ信号／音響信号の変換を行う操作者との音声ヒューマンインタフェースである。
【００２３】
ダイヤル生成部５９は、ＰＳＴＮ  Ｉ／Ｆ部５６と接続し、ＰＳＴＮ網２へのダイヤル信号を生成する。
【００２４】
尚、ＰＳＴＮ網２からの供給電力で動作できるものは、一般的なアナログ電話機のブロックであるＰＳＴＮ  Ｉ／Ｆ部５６、切替スイッチ５７、ハンドセット５８、ダイヤルボタン５４、ダイヤル生成部５９である。
【００２５】
次に、本実施形態の動作について図面を参照して詳細に説明する。
本実施形態のＩＰ電話機５は、図３に示されるように、大きく分けると５つの動作状態がある。以下に、それぞれの状態について説明する。
【００２６】
状態１は、ＤＡＴＡネットワーク９または商用電源８からＩＰ電話機５に電源供給がされていない状態で、動作可能なブロックは、ＰＳＴＮ網２から電源供給されている一般的なアナログ電話機のブロックであるＰＳＴＮ  Ｉ／Ｆ部５６、切替スイッチ５７、ハンドセット５８、ダイヤルボタン５４、ダイヤル生成部５９である。電源が投入されていない場合、切替ＳＷ５７は、ハンドセット５８とＰＳＴＮ  Ｉ／Ｆ部５６を接続する論理となっている。したがってＩＰ電話機５はＰＳＴＮ網２と通話する。
【００２７】
状態２は、ＤＡＴＡネットワーク９又は商用電源８からＩＰ電話機５に電源供給されている状態で、ＤＡＴＡネットワーク９の状態は良好、通話開始時はＤＡＴＡネットワーク９にある端末と通話している場合である。したがって、ＩＰ電話機５はＤＡＴＡネットワーク９上の端末と通話する。
【００２８】
音声パスは、ハンドセット５８、ＣＯＤＥＣ５５、ＣＰＵ５２、ＬＡＮ  Ｉ／Ｆ部５１、ＤＡＴＡネットワーク９の経路で流れる。ＣＰＵ５２は、切替ＳＷ５７及びダイヤル生成部５９の動作を止める制御を行う。
【００２９】
制御系に関しては（特に発呼制御）、ダイヤルボタン５４で認識されたダイヤル信号は、ＣＰＵ５２に送出され、ＣＰＵ５２で分析してＩＰ電話機５の動作を決定する。
【００３０】
状態３は、ＤＡＴＡネットワーク９又は商用電源８からＩＰ電話機５に電源供給されている状態で、ＤＡＴＡネットワーク９の状態は良好、通話開始時はＰＳＴＮ網２にある端末と通話していた場合である。通話を維持する為にＣＰＵ５２は、切替ＳＷ５７を有効とし、通話を維持する。通話終了後に状態２の動作状態に移行する。
【００３１】
状態４は、ＤＡＴＡネットワーク９又は、商用電源８からＩＰ電話機５に電源供給されている状態で、ＤＡＴＡネットワーク９の状態は不良、通話開始時はＰＳＴＮ網２にある端末と通話していた場合である。この場合、ＩＰ電話機５は、ＰＳＴＮ網２を使用して通話する。音声パスは、ハンドセット５８、切替スイッチ５７、ＰＳＴＮ  Ｉ／Ｆ部５６の経路で流れる。ＣＰＵ５２は切替ＳＷ５７及びダイヤル生成部５９の動作を有効とする制御を行う。
【００３２】
制御系に関しては（発呼制御）、ダイヤルボタン５４で認識されたダイヤル信号は、ダイヤル生成部５９に送出され、ＰＳＴＮ  Ｉ／Ｆ部５６を介してＰＳＴＮ網２に送出される。
【００３３】
状態５は、ＤＡＴＡネットワーク９又は商用電源８からＩＰ電話機５に電源供給されている状態で、ＤＡＴＡネットワーク９の状態は不良、通話開始時はＤＡＴＡネットワーク９上の端末と通話していた場合である。この場合は、通話を一端切断し、再度ＰＳＴＮ網２と接続し通話する。
【００３４】
ＣＰＵ５２は、ＤＡＴＡネットワーク９の不良を検出したならば、一端ＤＡＴＡネットワーク９上の端末との通話を切断するが、すぐさまＰＳＴＮ網２から同じ通話相手に対して発呼動作を行い、通話を維持する。音声パスは、ハンドセット５８、ＣＯＤＥＣ５５、ＣＰＵ５２、ＬＡＮ  Ｉ／Ｆ部５１、ＤＡＴＡネットワーク９の経路で流れていたものを中止し、ハンドセット５８、切替スイッチ５７、ＰＳＴＮ  Ｉ／Ｆ部５６の経路に切り替える。
【００３５】
ＣＰＵ５２は、切替ＳＷ５７及びダイヤル生成部５９の動作を有効とする制御を行う。そして、ＣＰＵ５２は、ダイヤル生成部５９に対して、今まで通話していた相手に対する発呼を指示し、ＰＳＴＮ  Ｉ／Ｆ部５６を介し、ＰＳＴＮ網２と接続する。
【００３６】
【発明の効果】
以上説明したように、本発明によれば、ＤＡＴＡネットワークを利用して通話中にＤＡＴＡネットワークに不具合が発生した場合、ＰＳＴＮへ通話を回避することができる。
【００３７】
また、本発明によれば、停電時にＰＳＴＮ通話により通話しているときに、停電が復旧した場合に、その通話をＰＳＴＮでの通話に維持することができる。
【００３８】
また、本発明によれば、ＩＰ電話機へ電源供給する機能を持つハブ等に対応することができる。
【図面の簡単な説明】
【図１】  本実施形態のＩＰ電話機が接続されたネットワーク構成を示すブロック図である。
【図２】  本実施形態におけるＩＰ電話機の構成を示すブロック図である。
【図３】  本実施形態のＩＰ電話機５の動作状態を示す状態図である。
【図４】  従来技術の構成の一例を示すブロック図である。
【符号の説明】
１    インターネットまたはイントラネット
２    ＰＳＴＮ網
３    ルータ
４    ハブ
５    ＩＰ電話機
６    ＰＣ
７    ＩＰ電話機制御装置
８    商用電源
９    ＤＡＴＡネットワーク
５１  ＬＡＮ  Ｉ／Ｆ部
５２  ＣＰＵ
５３  電源部
５４  ダイヤルボタン
５５  ＣＯＤＥＣ
５６  ＰＳＴＮ  Ｉ／Ｆ部
５７  切替ＳＷ
５８  ハンドセット
５９  ダイヤル生成部
【図１】
0003921412.tif 000002
【図２】
0003921412.tif 000003
【図３】
0003921412.tif 000004
【図４】
0003921412.tif 000005